(57)【要約】【課題】プラグの交換作業が簡単な操作によって的確に行える南京錠を提供する。【解決手段】ケース１のソケット孔２に抜差しされるシャックル３と、ケース１のプラグ収容孔４に装備され、シャックル３を差込み位置に錠止するプラグ５とからなり、プラグ５の外周面に形成したポケット６にセットピン７を出没可能に収容保持し、プラグ収容孔４の内周面にピン受孔８を形成し、バネ部材９によって突出付勢したセットピン７をピン受孔８に係合させてプラグ５をプラグ収容孔４から抜取り不能に拘束し、ピン受孔８の延長線上に工具挿入孔１０を直線的に形成し、工具挿入孔１０をシャックル３によって閉塞し、シャックル３の抜取り状態において工具挿入孔１０に挿入した交換用工具１１によってセットピン７を直線的に押圧してポケット６に退没させる。【選択図】    図１
2004285706.tif 000002
【特許請求の範囲】
【請求項１】
ケース１のソケット孔２に抜差しされるシャックル３と、ケース１のプラグ収容孔４に装備され、シャックル３を差込み位置に錠止するプラグ５とを備えており、プラグ５の外周面に形成したポケット６にセットピン７を出没可能に収容保持し、プラグ収容孔４の内周面にピン受孔８を形成し、バネ部材９によって突出付勢したセットピン７をピン受孔８に係合させてプラグ５をプラグ収容孔４から抜取り不能に拘束し、ピン受孔８の延長線上に工具挿入孔１０を直線的に形成し、工具挿入孔１０をシャックル３によって閉塞し、シャックル３の抜取り状態において工具挿入孔１０に挿入した交換用工具１１によってセットピン７を直線的に押圧してポケット６に退没させるようにした南京錠。
【発明の詳細な説明】
【０００１】
【発明の属する技術分野】本発明は、錠機構を内蔵させたプラグによってシャックルがケースのソケット孔内の差込み位置に錠止され、鍵によって前記プラグの施錠軸を解錠駆動したとき、シャックルが解放されて抜脱位置に突出する南京錠に関するものである。
【０００２】
【従来の技術】鍵を紛失したり模造されたときにプラグの交換を可能にした南京錠としては、一方のソケット孔内底部に当たるケースの底蓋に係止座を突設し、該係止座の上端面に嵌着栓を内装する横溝を設け、該横溝に対応してプラグ外周面に嵌着窪みを設け、前記横溝に挿入した圧縮コイルバネで嵌着栓をプラグ外周面に向けて押圧し、嵌着栓の先端部を嵌着窪みに係合させてプラグをケースのプラグ収容孔内に固定保持したものが知られている（例えば、特許文献１参照）。
【０００３】
この南京錠では、例えば常用の鍵を紛失したためプラグを交換したいときには、予備用の鍵をプラグのロータの鍵孔に挿入し、鍵でロータを回すことによってシャックルの錠止を解除し、シャックルをソケット孔から突出させる。そして、空になったソケット孔を通して棒状の交換用工具を前記横溝の上面開口部に挿入し、交換用工具の先端を嵌着栓の頭部の環状溝に挿入した後、交換用工具を横移動させて嵌着栓を圧縮コイルバネの付勢に抗して嵌着窪みから引き出すようになっている。
【０００４】
しかしながら、ソケット孔の内底部という薄暗くて視認し難い空間において、交換用工具の先端を横溝の上面開口部を通して嵌着栓の環状溝に差し込む操作は、設計図上ではともかくとして実際上は容易ではなく、仮に交換用工具の先端を環状溝に一旦挿入できたとしても、交換用工具を横移動させるときに交換用工具の手元がぶれたり、交換用工具が途中で撓むなどして交換用工具の先端が環状溝から外れ易く、嵌着栓を迅速かつ的確に嵌着窪みから引き出すことは容易ではなかった。
【０００５】
【特許文献１】特許第２９１１８８０号公報
【０００６】
【発明が解決しようとする課題】したがって本発明の課題は、交換用工具によるプラグの交換操作が簡単かつ的確に行える南京錠を提供することである。
【０００７】
【課題を解決するための手段】以下、添付図面中の参照符号を用いて説明すると、本発明の南京錠は、ケース１のソケット孔２に抜差しされるシャックル３と、ケース１のプラグ収容孔４に装備され、シャックル３を差込み位置に錠止するプラグ５とを備えており、プラグ５の外周面に形成したポケット６にセットピン７を出没可能に収容保持し、プラグ収容孔４の内周面にピン受孔８を形成し、バネ部材９によって突出付勢しセットピン７をピン受孔８に係合させてプラグ５をプラグ収容孔４から抜取り不能に拘束し、ピン受孔８の延長線上に工具挿入孔１０を直線的に形成し、工具挿入孔１０をシャックル３によって閉塞したものである。
【０００８】
【発明の作用】この南京錠では、例えば常用の鍵を紛失した結果、プラグ５を交換したいときには、予備用の鍵１２をプラグ５のロータ１３の鍵孔２７に挿入し、鍵１２でロータ１３を回すことによってシャックル３の錠止を解除し、シャックル３をソケット孔２から突出させる。
【０００９】
シャックル３の抜取りによって閉塞を解かれた工具挿入孔１０に交換用工具１１を挿入し、交換用工具１１を突き押すことによってセットピン７をプラグ５の外周面に向かって直線的に押圧し、セットピン７をピン受孔８から脱出させてポケット６内に退没させる。
【００１０】
このセットピン９の退没によってケース１に対するプラグ５の拘束が解除され、プラグ５はプラグ収容孔４から抜き取れられる。
新しいプラグ５をプラグ収容孔４に嵌め入れるとき、セットピン７は指先でポケット６内に押し込み保持される。該プラグ５がプラグ収容孔４の所定位置まで嵌め込まれ、ポケット６とピン受孔８が相対面する位置に来たとき、セットピン７はバネ部材９の付勢によって先端部がピン受孔８に即座に係合する。これによってプラグ５の交換が完了する。
【００１１】
【発明の実施の形態】図１と図２に示した実施例では、プラグ５はシリンダー錠構成のものであり、プラグ本体１４は断面小判形であり同形のプラグ収容孔４に回転不能に嵌め込まれている。ロータ１３の先端部には回転角度規制盤１５とカム円盤１６が嵌合され、カム円盤１６の偏心カム突起１７にはラッチ体１８の受動カム溝１９が嵌められている。
プラグ収容孔４の左右両側に形成されたソケット孔２，２にはＵ字状のシャックル３の各脚部が嵌め込まれている。ラッチ体１８の先端部は右側の短い方の脚部の側面溝２０に係脱する。
【００１２】
左側の長い方の脚部には係止ボール２１が係合する環状溝２２を形成してあり、該脚部の末端に延長形成したバネガイド部３ａは、工具挿入孔１０を横断するように配置され、シャックル３が差込み位置にあるときには、工具挿入孔１０を閉塞している。
プラグ５のロータ１３を鍵で解錠方向に回した時、ラッチ体１８が側面溝２０から脱出することによって、ケース１に対するシャックル３の錠止が解除され、シャックル３は押出し用バネ２３の付勢によって押され、短い方の脚部がソケット孔２から抜き取られる。
【００１３】
このようにシャックル３が解錠位置に突出したときには、長い方の脚部のバネ受棒部３ａは工具挿入孔１０から抜き取られた位置に退避しており、棒状の交換用工具１１の挿入が可能となる。
ポケット６はプラグ５の中心軸線に対して直角に形成されており、基部を大径に形成したセットピン７は、ポケット６に挿入した後、ポケット６の開口縁部を内側に加締め変形させることによって、ポケット６からの脱落を阻止されている。バネ部材９は圧縮コイルバネで構成されている。
【００１４】
図３と図４に示した実施例では、ロータ１３に連動装備したロック円盤２４の偏心突起２５は、シャックル３の長い方の脚部の側面に横断方向に形成したロック受溝２６に係合しており、これによってシャックル３は抜取り不能に錠止されている。ロータ１３の鍵孔２７に所定の鍵２７を挿入してロータ１３を所定角度回したとき、偏心突起２５がロック受溝２６の外側に移動するため、シャックル３がケース１のソケット孔２から抜取り可能となる。
【００１５】
本実施例では、工具挿入孔１０は短い方の脚部が抜差しされるソケット孔２の延長線上に形成されており、工具挿入孔１０は該脚部によって隠蔽閉塞されている。
上記のようにケース１に対するシャックル３の錠止を解除してシャックル３の短い方の脚部をソケット孔２から抜き取った後、ソケット孔２を通して工具挿入孔１０に棒状の交換用工具１１が挿入され、セットピン７が直線的に押圧させられ、ポケット６に押し込まれる。
【００１６】
プラグ５に内蔵される錠機構としてはディスクタンブラ型錠機構、ピンタンブラ型錠機構、軸方向ピンタンブラ型錠機構など公知の錠機構を適宜選択して使用することができ、プラグ５のロータとシャックル３間の連動機構ないし錠止機構も上記のものに限定される、一般の南京錠に使用されている公知機構を適当に選択することができる。
【００１７】
セットピン７の先端部にカム斜面を形成することによってラッチ作動型に構成し、プラグ５の嵌め入れ時に当該カム面をプラグ収容孔４の縁面に摺接させることによって、セットピン７を進退動作させ、プラグ５の嵌め込み完了時にセットピン７をピン受孔８に自動的に係合させることもできる。
【００１８】
また、南京錠の作動原理としては、シャックル一定ストローク摺動したとき、短い方の脚部だけがソケット孔から抜け出て、シャックルが長い方の脚部を中心に回動する方式には限定されず、シャックルが一定ストローク摺動したとき、シャックルの両方の脚部が同時にソケット孔から抜け出る方式のものでも良い。
【００１９】
【発明の効果】以上のように本発明の南京錠では、プラグ５の外周面に形成したポケット６にセットピン７を出没可能に収容保持し、プラグ収容孔４の内周面にピン受孔８を形成し、バネ部材９によって突出付勢したセットピン７をピン受孔８に係合させてプラグ５をプラグ収容孔４から抜取り不能に拘束し、ピン受孔８の延長線上に工具挿入孔１０を直線的に形成し、工具挿入孔１０をシャックル３によって閉塞し、シャックル３の抜取り状態において工具挿入孔１０に挿入した交換用工具１１によってセットピン７を直線的に押圧してポケット６に退没させるものであるから、セットピン７が薄暗くて視認し難い部位に配置されていても、交換用工具１１を単に直線的に突き押すという簡単な操作によって、迅速かつ的確にセットピン７を退没位置に移動させることができ、プラグ５の交換作業を円滑かつ能率良く行うことができる。
【図面の簡単な説明】
【図１】本発明の一実施例に係る南京錠の要部切断正面図であり、シャックルは錠止位置にある。
【図２】図１の南京錠の左側面図である。
【図３】本発明の別の実施例に係る南京錠の縦断面図であり、シャックルは錠止位置にある。
【図４】図３の南京錠のシャックル抜取り状態の平面図である。
【符号の説明】
１  ケース
２  ソケット孔
３  シャックル
３ａ  バネガイド部
４  プラグ収容孔
５  プラグ
６  ポケット
７  セットピン
８  ピン受孔
９  バネ部材
１０  工具挿入孔
１１  交換用工具
１２  鍵
１３  ロータ
【図１】
2004285706.tif 000003
【図２】
2004285706.tif 000004
【図３】
2004285706.tif 000005
【図４】
2004285706.tif 000006